(57)【特許請求の範囲】
【請求項１】
計測手段により計測される計測値を表示する表示針と、
前記表示針を駆動する輪列と、
前記輪列を駆動するモーターと、
前記計測手段により計測される計測値または計測値から演算されるデータを記憶する複数の記憶手段と、
前記モーターを制御する制御手段とを備え、
前記制御手段は、計測時には、前記計測手段による計測結果と前記表示針の表示位置が一致するように前記モーターを制御し、外部入力手段動作時には前記外部入力手段からの入力回数に応じて選択された記憶手段に記憶された計測値と表示針に表示位置が一致するように前記モーターを制御し、前記外部入力手段からの入力の回数が前記記憶手段の数または情報が記憶された前記記憶手段の数を越えた場合に前記表示針を前記計測時もしくは計測時直前の状態と同じ表示をするように制御し、
さらに、前記外部入力手段動作時には選択した記憶手段に対応した回数だけ、確認音鳴鐘手段を動作させる確認音制御手段を備えたことを特徴とするアナログ計測器。
【発明の詳細な説明】
【０００１】
【産業上の利用分野】
本発明はアナログ計測器に関し、特に計測したデータ又はそのデータの演算結果を呼出表示するアナログ計測器に関する。
【０００２】
【従来の技術】
従来の複数の計測値または計測値から演算される複数のデータを呼び出し表示可能なアナログ計測器においては、データの呼び出し時に確認音等の鳴鐘がないか、あるいはあっても一定の確認音の鳴鐘のみしかなかった。
【０００３】
また、従来の複数の計測値または計測値から演算される複数のデータを呼び出し表示可能なアナログ計測器においては、計測値の全てのデータの呼び出しを実行した後、特別な操作により表示を通常状態に戻していた。
【０００４】
【発明が解決しようとする課題】
従来の複数の計測値または計測値から演算される複数のデータを呼び出し表示可能なアナログ計測器においては、データの呼び出し時に確認音等の鳴鐘がないか、あるいはあっても一定の確認音の鳴鐘のみしかないため、どのデータが呼び出されたのか知るためには使用者が呼び出しのための入力回数を数えなければならないという問題点があった。デジタル表示式の計測器においては、呼び出したデータの番号を数値等により表示することは容易であるが、アナログ表示で同様なことをするには複雑な構造を必要とする。そこで本発明は呼び出されたデータに対応した回数だけ確認音を鳴鐘することにより、簡単な構造で、使用者が呼び出したデータが何であるか確認できるようにすることを目的とするものである。
【０００５】
また、従来の複数の計測値または計測値から演算される複数のデータを呼び出し表示可能なアナログ計測器においては、計測値の全てのデータの呼び出しを実行した後、特別な操作を必要とするため操作や構造が複雑になるという問題点があった。そこで本発明はデータの呼び出しと同一の操作を継続するだけで表示を通常の状態に戻すことによりアナログ計測器の操作を簡略化してかつ構造を簡略化することを目的とする。
【０００６】
【課題を解決するための手段】
前記目的を達成するため、本発明は、計測手段により計測される計測値を表示する表示針と、前記表示針を駆動する輪列と、前記輪列を駆動するモーターと、前記計測手段により計測される計測値または計測値から演算されるデータを記憶する複数の記憶手段と、前記モーターを制御する制御手段とを備え、前記制御手段は、計測時には、前記計測手段による計測結果と前記表示針の表示位置が一致するように前記モーターを制御し、外部入力手段動作時には前記外部入力手段からの入力回数に応じて選択された記憶手段に記憶された計測値と表示針に表示位置が一致するように前記モーターを制御し、前記外部入力手段からの入力の回数が前記記憶手段の数または情報が記憶された前記記憶手段の数を越えた場合に前記表示針を前記計測時もしくは計測時直前の状態と同じ表示をするように制御し、さらに、前記外部入力手段動作時には選択した記憶手段に対応した回数だけ、確認音鳴鐘手段を動作させる確認音制御手段を備えたことを特徴とする。
【０００８】
【実施例】
以下、実施例により本発明の詳細を示す。
【０００９】
図１は本発明のメモリー及びメモリーリコール及びメモリーリコール時確認音付きアナログ計測器の一実施例を示すブロック図である。
【００１０】
スイッチ２０１は入力制御手段２０２を介して外部入力回数一定値以上検出手段２０３に接続されており、外部入力回数一定値以上検出手段２０３はスイッチ２０１からの入力回数を計数し、確認音制御手段２０５を介して確認音鳴鐘手段２０６でその計数値に応じた確認音を鳴鐘しつつ、記憶値選択手段２０４でその計数値に応じた記憶値を選択し、計算結果記憶手段２０８と時間情報記憶手段２０９と計測開始時刻記憶手段２１０からそれぞれの記憶値を呼び出し、モータ制御手段２１１により各モータを制御する。モータ１２１２は輪列２１３を介して計測値表示針２１４により水深計測値を表示する。モータ２２１６は輪列２１７を介して時間情報表示針２１８により潜水時間を表示する。モータ３２１９は輪列２２０を介して時刻表示針２２１により計測開始時刻を表示する。
【００１１】
外部入力回数一定値以上検出手段２０３でスイッチ２０１からの入力回数が設定値を越えたと検出した場合に、距離計算手段２２２により、計測値表示針２１４と時間情報表示針２１８それぞれの現在表示位置から１２時位置までの距離と、時刻表示針２２１の現在表示位置から現時刻位置までの距離を計算し、モータ制御手段２１１により各モータを算出された距離分のみ動作させる。
【００１２】
図３は図１のメモリー付きアナログ計測器の一実施例を示すハードウェア構成図である。
【００１３】
マイクロコンピュータ９０１はＡ／Ｄ変換回路９０３、ＲＡＭ９０４、ＣＯＲＥ  ＣＰＵ９０５、ＲＯＭ９０６、１Ｈｚ割込みを制御するタイマー９１３、モータパルス等の運針状態を制御するモータ運針制御回路９０７、アラーム音を作り出すサウンドジェネレータ９０８、モータドライバー９０９及び外部からの信号を制御する入力制御回路９１２を内臓しており、全てバスで接続されている。
【００１４】
又、マイクロコンピュータ９０１はセンサー９０２、表示指針９１０、スピーカ９１１及びプッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９と接続している。センサー９０２はＡ／Ｄ変換回路９０３に接続している。表示指針９１０はモータドライバー９０９に接続している。スピーカ９１１はサウンドジェネレータ９０８に接続している。プッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９は入力制御回路９１２に接続している。
【００１５】
図２のフローチャートを用いて図１の説明をする。
【００１６】
Ｋｅｙ割込み後、ＰＳＷ−Ｂの入力か否かを判別し（ステップ６０１）、ＰＳＷ−Ｂの入力でなければプログラムを終了し、ＰＳＷ−Ｂの入力であれば入力回数ｎを計数し（ステップ６０２）する。潜水情報のメモリー数を２本とすると、ステップ６０３でｎ＝３か否かを判別し、ｎ＝３であれば確認音“ピー”を鳴鐘し（ステップ６１５）、計測値表示針を正転方向に１２時位置まで自走させ（ステップ６１７）、時間情報表示針を正転方向に１２時位置まで自走させ（ステップ６１８）、時刻表示針を正転方向に現在時刻位置まで自走させ（ステップ６１９）、プログラムを終了する。ｎ＝３でなければｎ＝２か否かを判別し（ステップ６０４）、ｎ＝２であれば確認音“ピピッ”を鳴鐘し（ステップ６１６）、ｎ＝２でなければ確認音“ピッ”を鳴鐘（ステップ６０５）する。ステップ６０６でｎ番目の記憶手段から最大水深値を呼び出し、モータ１に正転パルスをセットし（ステップ６０７）、モータ１の自走終了後（ステップ６０８）、平均水深値を呼び出し（ステップ６０９）、モータ１に逆転パルスをセットし（ステップ６１０）、潜水時間を呼び出し（ステップ６１１）、モータ２に正転パルスをセットし（ステップ６１２）、潜水開始時刻を呼び出し（ステップ６１３）、モータ３に正転パルスをセットし（ステップ６１４）、プログラムを終了する。
【００１７】
【発明の効果】
以上述べたように本発明により、複数の計測値または計測値から演算される複数のデータを呼び出し表示可能なアナログ計測器において、呼び出されたデータに対応した回数だけ確認音を鳴鐘することにより、そのため、特別なデータ番号の表示装置等、複雑な構造を用いること無しに、使用者が呼び出したデータが何であるか確認できるようになった。そのため、操作が簡略化され、アナログ計測器の操作性が大幅に向上した。
【００１８】
また、本発明により、複数の計測値または計測値から演算される複数のデータを呼び出し表示可能なアナログ計測器において、データの呼び出しと同一の操作を継続するだけで表示を通常の状態に戻すことが可能となった。そのため、アナログ計測器の操作及び構造が簡略化されて、操作性が大幅に向上し、かつ低価格化及び高信頼性化された。
【００１９】
以上述べたように、本発明によりアナログ計測器の商品展開の幅が、大幅に広がった。
【図面の簡単な説明】
【図１】本発明の実施例を示すメモリー及びメモリーリコール及びメモリーリコール時確認音付きアナログ計測器のブロック図である。
【図２】本発明の実施例を示すメモリー及びメモリーリコール及びメモリーリコール時確認音付きアナログ計測器のフローチャートである。
【図３】本発明の実施例を示すハードウェア構成図である。
【符号の説明】
２０７  最大値記憶手段
２０８  計算結果記憶手段
２０９  時間情報記憶手段
２１０  計測開始時刻記憶手段
２１５  最大針
２０２  入力制御手段
２１１  モータ制御手段
２０３  外部入力回数一定値以上検出手段
２０４  記憶値選択手段
２０５  確認音制御手段
２２２  距離計算手段
【図１】
0003605873.tif 000002
【図２】
0003605873.tif 000003
【図３】
0003605873.tif 000004